(57)【要約】【課題】従来の逆さ吊り可能なチェーンホイストは、標準仕様による使用時にロードシーブから垂下する無負荷側チェーンはチェーンバケットに収納されずに落下するという課題を有し、さらに前記した通り、下側フックが上昇した時に、チェーンバケット内に出入りするという課題を有していた。【解決手段】逆吊り使用可能なチェーンホイスト１において、逆吊り使用時において、円弧状チェーンガイド３から送出される無負荷側チェーン７の上下方向移動をガイドするブラケット１２と、ブラケット１２に設けられ、チェーンホイスト本体１の側方とチェーンホイスト本体下方にわたって延設され、バケット１５を反転可能に係着する長孔１４を設けたことを特徴とする。【選択図】　図１
2004099189.tif 000002
【特許請求の範囲】
【請求項１】
チェーンホイスト本体に軸着された上側フックと、ロードシーブに巻掛けられた負荷側チェーンに係着された下側フックと、ロードシーブから送出される無負荷側チェーンの送出側に設けた円弧状チェーンガイドと、チェーンホイスト本体に反転可能に取着された無負荷側チェーン収納バケットを有する逆吊り使用可能なチェーンホイストにおいて、逆吊り使用時において、円弧状チェーンガイドから送出される無負荷側チェーンの上下方向移動をガイドするブラケットと、ブラケットに設けられ、チェーンホイスト本体の側方でチェーンホイスト本体の略中心をとおる水平線上とチェーンホイスト本体下方にわたって延設され、バケットを反転可能に係着する長孔を設けたことを特徴とする逆吊り使用可能なチェーンホイスト。
【請求項２】
長孔をブラケット先端を折曲して形成したフランジに設けたことを特徴とする請求項１に記載の逆吊り使用可能なチェーンホイスト。
【請求項３】
ブラケットは円弧状チェーンガイド間にチェーン挿通間隔を有し、チェーンホイスト本体部の側面と平行に設けられたことを特徴とする請求項１に記載の逆吊り使用可能なチェーンホイスト。
【請求項４】
チェーン収納バケット上緑に、フックの出入りを防止するフックガイド板を設けたことを特徴とする請求項１に記載の逆吊り使用可能なチェーンホイスト。
【請求項５】
チェーンホイスト本体に軸着された上側フックと、ロードシーブに巻掛けられた負荷側チェーンに係着された下側フックと、ロードシーブから送出される無負荷側チェーンの送出側に設けた円弧状チェーンガイドと、チェーンホイスト本体に反転可能に取着された無負荷側チェーン収納バケットを有する逆吊り使用可能なチェーンホイストにおいて、バケットを、バケット上緑が下側フックの上限位置における下側フックの回動を遮る位置にあるようにチェーンホイストに吊設したことを特徴とする逆吊り使用可能なチェーンホイスト。
【発明の詳細な説明】
【０００１】
【発明の属する技術分野】
本発明は、チェーンホイスト本体に装着したフックが被運搬物を支持して昇降及び搬送することができる逆吊り可能なチェーンホイストに関するものである。
【０００２】
【従来の技術】
従来より、建築工事現場や劇場等における照明、音響機器等の昇降手段として、チェーンホイスト本体を逆にして下フックを天井等に吊し、チェーンホイスト本体に装着した上フックにて被運搬物を支持して昇降する逆吊りチェーンホイストが使用されてきており、この逆吊りチェーンホイストとしては、例えば特開２００１−７２３８６号に示されるような構成のものが提案されている。
【０００３】
【特許文献１】
特開２００１−７２３８６号に記載された逆吊りチェーンホイストは、負荷側チェーンに連結される下フックを工事現場等の天井部等に吊設した後に、チェーブンロック本体に取着したフックにて被運搬物をチェーンホイスト本体と共に昇降して搬送することができるものであるが、無負荷側チェーンを収容するチェーンバケットがチェーンホイスト本体下方と、本体側方との２点にて吊設され、反転して使用することが不可能なものであるため、チェーンホイストを標準仕様（チェーンホイスト本体に取着された上フックを天井部等に吊下して使用する場合）にて使用することは不可能であり、逆吊り専用機としてしか使用できないものであった。
【０００４】
また、標準仕様にても、逆吊り仕様にても併用できるものとして、図７〜図９に示すように、チェーンバケット１５をチェーンホイスト本体の側方に設けたフレーム２０の吊り点２１に反転可能に設けることにより、標準仕様にて使用する時には、図７に示すように、無負荷側チェーンをロードシーブ２からチェーンバケット１５に直接収容できるようにし、逆吊り仕様にて使用する時には、図９に示すように、チェーンバケット１５を反転して、無負荷側チェーン８をロードシーブ２からロードシーブ２の上方にある円弧状ガイド３を経由して下方に垂下し、チェーンバケット１５に収容するものが提案されている。以下図７〜図９に基づき標準仕様にも、逆吊り仕様にても使用可能なチェーンホイストの従来例について説明する。
【０００５】
図において、１はチェーンホイスト本体、２はロードシーブ、３は逆吊り使用時において無負荷側チェーンをガイドする円弧状ガイド、７は負荷側チェーン、８は無負荷側チェーン、９はチェーンホイスト本体に横軸１１にて軸着された上側フック、１０は負荷側チェーンに係着される下側フック、１５はチェーンバケット、１６はバケット吊下用フック、２１はチェーンホイスト１の円弧状ガイド３側で、チェーンホイスト本体１の側方に設けたバケットの吊り点である。チェーンバケット１５は、チェーンホイスト１の円弧状ガイド３側に延設されたフレーム２０の端部に設けた吊り２１に吊設されており、吊り点２１にて反転可能に吊設することで、標準仕様においても、逆吊り仕様においても使用することができ、チェーンホイストのリバーシブルな使用を可能にする。しかし、図７に示すように、標準仕様における使用時には、チェーンバケット１５内に収容されるチェーンの荷重が重くなると、チェーン８の荷重によりチェーンホイスト１は、横軸１１を中心ににチェーンバケット１５側に傾き、チェーンホイスト本体のチェーン送り口とチェーンバケット１５のチェーン側緑部１５ａが離反し、チェーンホイスト本体から、垂下される無負荷側チェーン８はチェーンバケット１５内に収容されずに、図７で矢印ａで示す方向に落下し、また、バケット外に落下したチェーンの自重により、チェーンバケット１５内に収納されたチェーンも引きずられて下方に落下するという不具合が生ずる。これを解消するため、吊り点２１を図の左方に変位させチェーン荷重によるチェーンホイスト本体１の傾きを抑えた場合においては、バケット左側面と下側フックを干渉させないため所定の間隔を保つようにし、さらに、バケット吊下用フックをバケットの中心に設ける必要があるため、吊り点が左方に移動した分だけバケット右側を左方に縮めなければならず、その分だけバケットの幅が狭くなり、逆吊り時において、無負荷側チェーンの収納に不具合が生ずることとなる。また、標準仕様における使用時において、下側フック１０が図８に示す上限位置近くに上昇すると、チェーンホイスト１の無負荷側チェーン送り口とチェーンバケット緑部１５ａがバケット荷重によるチェーンホイスト本体１の傾きにより離反しているため、下側フック１０が図８に矢印ａで示すように、揺動した場合には、フック１０が矢印ｂで示すように、チェーンバケット１５内に入り込むという不具合が生ずる。
【０００６】
【発明が解決しようとする課題】
上記した通り、標準仕様における使用及び逆吊り仕様における使用が可能な従来のチェーンホイストは、標準使用時において、チェーンが収納されるチェーンバケットの荷重により、チェーンホイストがチェーンバケット側に傾斜し、チェーンホイストのチェーン送り口とチェーンバケットのチェーン側緑部に間隔が生ずるため、チェーンホイストから垂下する無負荷側チェーンはチェーンバケットに収納されずに落下するという課題を有し、さらに前記した通り、下側フックが上昇した時に、チェーンバケット内に出入りするという課題を有していた。
【０００７】
【課題を解決するための手段】
本発明は、上記した課題を解決するもので、逆吊り使用可能なチェーンホイストにおいて、逆吊り使用時において、円弧状チェーンガイドから送出される無負荷側チェーンの上下方向移動をガイドするブラケットと、ブラケットに設けられ、チェーンホイスト本体の側方とチェーンホイスト本体下方にわたって延設され、バケットを反転可能に係着する長孔を設けたことを特徴とする。本発明によると、標準仕様による使用時には、バケット用フックの吊り点をブラケットの最下端とすることにより、無負荷時におけるチェーンホイストの傾斜を小さくすることができるため、ロードシーブから下方に送り出される無負荷側チェーンを正確にバケット内に収納することができ、また、バケットの上緑にフックの出入りを防止するフックガイド板を設け、または、バケット上緑が上限位置における下側フックの揺動を遮るようにバケットを吊設することにより下側フックのバケットへの入り込みを防止することができる。
【０００８】
【発明の実施の形態】
本発明の請求項１に記載の発明は、チェーンホイスト本体に軸着された上側フックと、ロードシーブに巻掛けられた負荷側チェーンに係着された下側フックと、ロードシーブから送出される無負荷側チェーンの送出側に設けた円弧状チェーンガイドと、チェーンホイスト本体に反転可能に取着された無負荷側チェーン収納バケットを有する逆吊り使用可能なチェーンホイストにおいて、逆吊り使用時において、円弧状チェーンガイドから送出される無負荷側チェーンの上下方向移動をガイドするブラケットと、ブラケットに設けられ、チェーンホイスト本体の側方でチェーンホイスト本体の略中心をとおる水平線上とチェーンホイスト本体下方にわたって延設され、バケットを反転可能に係着する長孔を設けたことを特徴とするもので、バケットの反転操作が極めて容易で、かつ、標準仕様における使用時には、バケット用フックの吊り点をブラケットの最下端とすることにより、無負荷時におけるチェーンホイストの傾斜を小さくすることができるため、ロードシーブから下方に送り出される無負荷側チェーンを正確にバケット内に収納することができる作用を有する。
【０００９】
請求項２に記載の発明は、長孔をブラケット先端を折曲して形成したフランジに設けたことを特徴とするもので、無負荷チェーンをガイドするブラケットに長孔を設けることで、作業工数、部品点数を削減できる作用を有する。
【００１０】
請求項３に記載の発明は、ブラケットは円弧状チェーンガイド間にチェーン挿通間隔を有し、チェーンホイスト本体部の側面と平行に設けられたことを特徴とするもので、請求項１および請求項２記載の発明と同じ作用を有するとともに、逆さ吊り時における無負荷側チェーンをガイドし、スムーズなチェーン移動ができる作用を有する。
【００１１】
請求項４に記載の発明は、チェーン収納バケット上緑に、フックの出入を防止するフックガイド板を設けたことを特徴とするもので、下側フック上限上昇時における下側フックのバケット内への出入を防止できる作用を有する。
【００１２】
請求項５に記載の発明は、チェーンホイスト本体に軸着された上側フックと、ロードシーブに巻掛けられた負荷側チェーンに係着された下側フックと、ロードシーブから送出される無負荷側チェーンの送出側に設けた円弧状チェーンガイドと、チェーンホイスト本体に反転可能に取着された無負荷側チェーン収納バケットを有する逆吊り使用可能なチェーンホイストにおいて、バケットを、バケット上緑が下側フックの上限位置における下側フックの揺動を遮る位置にあるようにチェーンホイストに吊設したことを特徴とするもので、請求項４に記載の発明と同じ作用を有する。
【００１３】
【実施の形態】
以下、本発明の実施の形態について、図１〜図６を参照して説明する。図１は本発明のチェーンホイストの無負荷標準吊り時の上限巻き上げ状態を示す正面図、図２は図１における吊り状態を示す正面図、図３は図１の負荷標準吊り時の上限巻き上げ状態を示す正面図、図４は本発明のチェーンホイストの無負荷逆吊り時の吊り状態を示す正面図、図５は図４の負荷巻き上げ状態を示す正面図、図６は図５の左側面図である。図において、１はチェーンホイスト本体、２はロードシーブ、３は逆さ吊り時おいて無負荷側チェーンをガイドし、一対のブラケット１２間に固着される円弧状ガイド部、４はモータ、５は減速装置、６は電装品ボックス、７は負荷側チェーン、８は無負荷側チェーン、９は逆さ吊り時には下フックとして使用される上側フック、１０は逆さ吊り時には上フックとして使用される下側フック、１１は上側フック９をチェーンホイスト本体に軸着する横軸、１２は図４、図５、図６に示すように、逆さ吊り時において、無負荷側チェーン８の上下方向移動を側方からガイドする一対のチェーンガイド用ブラケットで、チェーンホイスト本体１内に固設されるチェーンガイドに延出して備える取付部２２、２３に固設される。１３はチェーンガイド用ブラケット１２の端面を円弧状ガイド３に対して外側に折曲して形成したフランジ、１４はフランジ１３に設けられ、図３において、上端がチェーンホイスト本体１の略中心を通る水平線上で、、下端がチェーンホイスト本体下面よ下方で、上下端間に延設されて開孔された長孔、１５は無負荷側チェーン８を収納するチェーンバケット、１６はバケット吊下用フック、１７はバケットの吊り手部、１８はバケットの上緑に設けたフックガイド板である。図４、５の逆さ吊り時においては、下側フック１０に負荷側チェーン７の一端が取付けられ、下側フック１０から垂下した負荷側チェーン７は、チェーンホイスト本体１に設けられたロードシーブ２の下半部に掛架される。円弧状ガイド３は、ロードシーブ２の斜上方にあるように配置され、ロードシーブ２と平行にチェーンホイスト本体１に取付けられている。前記ロードシーブ２から繰り出された無負荷側チェーン８は標準吊時においては、直接チェーンバケット１５に、逆さ吊り時においては、円弧状ガイド部３にガイドされてから下方に垂下し、チェーンバケット１５に収容される。
【００１４】
チェーンホイスト本体１の上部には、フック９が横軸１１により枢着されている。ロードシーブ２と下側フック１０間には、負荷側チェーン７を挿通する上限リミットスイッチ１９が設けられ、電動チェーンホイストの巻上運転中に、チェーンホイスト本体１が上限まで上昇するとリミットスイッチ１９を作動し、電動チェーンホイストの巻上運転が停止される。
【００１５】
本実施の形態においては、逆吊り時において、チェーンガイド３から垂下する無負荷側チェーン８を側方からガイドするため、チェーガイド３との間に少なくともチェーンが挿通できる幅の間隔を有して、チェーンホイスト本体１の側面に設けられた一対のチェーンガイド用ブラケット１２を有し、さらに該ブラケット１２の外側端面には、外側に折曲したフランジ１３が設けられ、フランジ１３には、チェーンホイスト１の略中心を通る水平線上と、チェーンホイスト本体下面より下方にわたって延設された長孔１４が設けられている。該長孔１４にはチェーンバケット１５の吊下げ用フック１６が掛着される。従って、チェーンバケット１５の吊下げ用フック１６は、標準仕様における使用時においては、図１に示すように、バケット用フック１６はフランジ１３に設けた長孔１４のチェーンホイスト本体１より下方位置に掛着される。このように、バケット用フック１６の吊り点を、ブラケット１２の最下部とすることにより、チェーンホイスト１の傾斜時において、上側フック９の吊り軸である横軸１１とバケット用フック１６の吊り点のＸ方向の距離Ｘ１は、吊り点がブラケットの上部にある場合の距離Ｘ２に較べて小さく、無負荷時におけるバケット１５の荷重による横軸１１を中心とするチェーンホイスト本体１の回動力およびチェーンホイスト１の傾斜角度も小さくなり、ロードシーブ２から垂下される無負荷側チェーン８の送り口とバケットの上緑部との間隔も小さくなり、無負荷側チェーン８は正確にかつスムーズにバケット内に収納される。従って、従来例のように、無負荷側チェーンがバケット収納時にバケットから滑落するような不具合が発生することはない。しかし、バケット１５の吊り点は長孔の下端にあり、バケット１５は本体フレーム１より下方に位置するため、バケット１５の上緑が本体の下面から離反し、下側フック１０が略上限まで上昇した時には、下側フック１０が揺動するとバケット１５内に出入りするという不具合が生ずる。そのため、本実施の形態では、バケット１５の下側フック側に、下側フック１０の上限上昇時における揺動を遮えぎるフックガイド板１８を設けた。また、他の実施の形態として、バケット１５の上緑部に設けた吊り手部１７とバケット吊下用フック１６間を短縮して、フック１６をチェーンホイストに係着し、バケット１５の上緑部が下側フック１０が揺動する円弧より上方に位置するようにした（図示せず）。また、逆さ吊り時においては、バケット吊下用フック１６はチェーンガイド用ブラケット１２のフランジ１３に設けた長孔１４のチェーンホイスト１の略中心を通る水平線上に掛着されるため、図４、図５に示すように、負荷時においても、無負荷時においても、無負荷側チェーン８は、バケット１５の略中心部からバケット１５内に収納されるため、チェーン収納時におけるチェーンの脱落を防止し、さらに、無負荷動作時において、バケット１５の自重により、チェーンホイスト本体１が図４に記載した状態よりもさらに大きく傾動した場合であっても、フックガイド板１８がチェーン８のバケット１５への挿入をガイドするガイド板として兼用しているため、チェーン８がバケット１５から脱落するようなことはない。
【００１６】
本実施の形態においては、チェーンバケットをフランジに設けた長孔に掛着するものとして説明したが、例えばフランジの上下に孔部を設けたものであってもよく、本実施の形態と同じ作用を奏するものであれば長孔に限定されるものではない。
【００１７】
【発明の効果】
本発明は、逆吊り使用可能なチェーンホイストにおいて、逆吊り使用時において、円弧状チェーンガイドから送出される無負荷側チェーンの上下方向移動をガイドするブラケットと、ブラケットに設けられ、チェーンホイストの側チェーンホイスト本体下方にわたって延設され、バケットを反転可能に係着する長孔を設けたので、バケットの反転操作が容易であるとともに、標準仕様による使用時には、バケット用フックの吊り点をブラケットの最下端とすることにより、無負荷時におけるチェーンホイストの傾斜を小さくすることができるため、ロードシーブから下方に送り出される無負荷側チェーンを正確にバケット内に収納することができ、また、バケットの上緑にフックの出入りを防止するフックガイド板を設け、または、バケット上緑が上限位置における下側フックの揺動を遮えぎるようにバケットを長孔に吊設することにより下側フックのバケットへの入り込みを防止することができる。
【図面の簡単な説明】
【図１】本発明のチェーンホイストの無負荷標準吊時の上限巻上状態を示す正面図である。
【図２】図１における吊状態を示す正面図である。
【図３】図１の負荷標準吊時の上限巻き上げ状態を示す正面図である。
【図４】本発明のチェーンホイストの無負荷逆さ吊り時の上限巻き上げ状態を示す正面図である。
【図５】図４の負荷上限巻き上げ状態を示す正面図である。
【図６】図５の左側面図である。
【図７】従来のチェーンホイストの無負荷標準吊り状態を示す正面図である。
【図８】図７の上限巻き上げ状態を示す正面図である。
【図９】従来のチェーンホイストの無負荷逆さ吊り状態を示す正面図である。
【符号の説明】
１　チェーンホイスト本体
２　ロードシーブ
３　円弧状ガイド
４　モータ
５　減速装置
６　電装品ボックス
７　負荷側チェーン
８　無負荷側チェーン
９　上フック
１０　下フック
１１　横軸
１２　チェーンガイド用ブラケット
１３　フランジ
１４　長孔
１５　チェーンバケット
１６　バケット吊下用フック
１７　吊り手部
１８　フックガイド板
１９　リミットスイッチ
２０　フレーム
２１　吊り点
２２、２３　取付部
【図１】
2004099189.tif 000003
【図２】
2004099189.tif 000004
【図３】
2004099189.tif 000005
【図４】
2004099189.tif 000006
【図５】
2004099189.tif 000007
【図６】
2004099189.tif 000008
【図７】
2004099189.tif 000009
【図８】
2004099189.tif 000010
【図９】
2004099189.tif 000011